(57)【要約】【課題】本発明は、ラベルを作業者の判断で任意に発行でき、仕分け作業の効率を改善できる仕分け設備を提供することを目的とする。【解決手段】物品の仕分けを行う作業者により、仕分ける物品の数量の表示がディジタル数量表示器６に表示されている状態で、完了押釦スイッチ７が操作される前に、満了押釦スイッチ８が操作されると、ディジタル数量表示器６の表示を維持したまま満了押釦スイッチ８が設けられた区画収納空間４のコンテナ３の仕分け先の店舗が求められ、求めた仕分け先の店舗を表示するラベル１４がラベルプリンタ１１により発行される構成とする。この構成によれば、仕分ける物品の数量のデータを残したまま、作業者の判断で任意にラベル１４を発行でき、満了となったコンテナ３へこのラベル１４を添えて出荷することができ、よって仕分け作業が中断してしまうことを回避でき、仕分け効率を改善できる。【選択図】　　　図１４
2004137066.tif 000002
【特許請求の範囲】
【請求項１】
仕分け先別に物品を仕分ける容器を載置する複数の区画収納空間を有する載置部を備え、
前記容器内へ仕分ける物品の数量が表示される表示手段と、この表示手段にて表示された数量に応じて前記容器内へ物品を仕分ける際に操作する完了操作手段を設け、
前記仕分け先毎に前記区画収納空間を割り当て、前記仕分け先の物品の集品要求に応じて、仕分ける物品毎に、割り当てた各区画収納空間の容器へ仕分ける物品の数量を求め、この数量を前記表示手段へ表示し、前記完了操作手段の操作により前記区画収納空間の容器への物品の仕分けが終了したと判断し、次に仕分ける物品の数量を求め、この物品の数量を表示手段へ表示する管理手段を備えた仕分け設備であって、
前記容器へ添える、仕分け先の情報または仕分け先および容器内の物品を特定する情報を表示する容器表示手段を発行する発行手段を備え、
前記容器が仕分けられた物品で満了であって、前記表示手段に表示された数量に応じた物品を仕分けることができないときに操作する前記完了操作手段とは別の満了操作手段を設け、
前記管理手段は、物品の数量が前記表示手段に表示されている状態で、前記完了操作手段が操作される前に、前記満了操作手段が操作されると、前記表示手段への物品の数量の表示を維持したままこの物品を仕分ける区画収納空間の容器の仕分け先の情報または仕分け先および容器内の物品を特定する情報を求め、前記発行手段を駆動して、求めた仕分け先の情報または仕分け先および容器内の物品を特定する情報を表示する容器表示手段を発行すること
を特徴とする仕分け設備。
【請求項２】
前記管理手段は、同一の前記完了操作手段が繰り返し操作されると、この完了操作手段が操作される前に物品が仕分けられた区画収納空間の容器を満了と判断して、この容器の仕分け先の情報または仕分け先および容器内の物品を特定する情報を求め、前記発行手段を駆動して、この求めた仕分け先の情報または仕分け先および容器内の物品を特定する情報を表示する容器表示手段を発行すること
を特徴とする請求項１記載の仕分け設備。
【請求項３】
前記管理手段は、前記容器表示手段を、前記完了操作手段が繰り返し操作された数に応じて発行すること
を特徴とする請求項２記載の仕分け設備。
【請求項４】
前記載置部は、複数の仕分けエリアに区分けされ、各仕分けエリア毎に、一つの物品の仕分け作業終了時に操作する仕分け終了操作手段を設け、
前記管理手段は、前記完了操作手段が操作されると、仕分け作業が実行された区画収納空間の表示手段に仕分け終了を表示させ、前記仕分け終了操作手段が操作されると、この仕分け終了操作手段が設けられた仕分けエリアの仕分け作業が終了しているか確認してこの仕分けエリアの表示手段に表示されている前記仕分け終了の表示を消去すること
を特徴とする請求項１〜請求項３のいずれかに記載の仕分け設備。
【請求項５】
前記載置部は、複数の仕分けエリアに区分けされ、各仕分けエリア毎に、仕分けする物品を特定する情報を入力する入力手段を設け、
前記管理手段は、各仕分けエリアの入力手段により入力される仕分ける物品を特定する情報に基づいて、前記表示手段へ表示する物品の数量を求めること
を特徴とする請求項１〜請求項４のいずれかに記載の仕分け設備。
【請求項６】
前記発行手段は、各仕分けエリアの中央部付近に配置されていること
を特徴とする請求項１〜請求項５のいずれかに記載の仕分け設備。
【発明の詳細な説明】
【０００１】
【発明の属する技術分野】
本発明は、棚に配置された仕分け先別の容器へ物品を仕分けることにより、仕分け先毎に物品を仕分けする仕分け設備に関するものである。
【０００２】
【従来の技術】
従来の上記仕分け設備として、仕分け先別の容器（収納容器）を収納した複数の区画収納空間を有する棚を設け、前記棚の区画収納空間の収納容器に仕分ける物品の数量を表示する表示手段を設けたアソート設備がある。このアソート設備では、各区画収納空間に仕分け先が割り当てられ、作業員が、物品を搭載した台車を押して棚に沿って移動しながら、仕分け先の集品要求に応じて前記表示手段に表示される物品の数量（物品の各仕分け先毎の数量）にしたがって、収納容器へ物品を投入することにより、仕分け先の集品要求に基づいた物品が収納容器に仕分けられる。
【０００３】
仕分けが終了された収納容器は仕分け先へ出荷されるが、出荷される前に収納容器の行先が判るように、仕分け先を特定するラベルや荷札を取り付ける必要がある。このラベル（あるいは荷札）の取り付けは、各収納容器に仕分けを開始する前に発行して取り付けるか（例えば、特許文献１参照）、あるいは全ての仕分けが終了した後に集中して発行し取り付ける方法が取られている。
【０００４】
【特許文献１】
特開平１１−２０８８２８号公報
【０００５】
【発明が解決しようとする課題】
しかし、このような従来の仕分け設備では、ラベル（あるいは荷札）の取り付けを仕分け前に行うときも、ラベル（あるいは荷札）の取り付けを全ての仕分けが終了した後に行うときも、発行されたラベル（あるいは荷札）と収納容器をつき合わせる作業を行う必要があり、作業効率が悪かった。
【０００６】
また収納容器が物品が満了となって次の物品を収納できない事態が発生すると、次の空の収納容器を用意してラベル（あるいは荷札）を取り付ける必要があるが、このようなラベル（あるいは荷札）の発行は想定されていないために、ラベル（あるいは荷札）の発行のために別の作業（たとえば、仕分け先の情報をラベルプリンタへ入力するなど）を実行しなければならず、作業効率を悪くしていた。
【０００７】
そこで、本発明は、ラベル（あるいは荷札）を作業者の判断で任意に発行でき、仕分け作業の効率を改善できる仕分け設備を提供することを目的としたものである。
【０００８】
【課題を解決するための手段】
前述した目的を達成するために、本発明のうち請求項１に記載の発明は、仕分け先別に物品を仕分ける容器を載置する複数の区画収納空間を有する載置部を備え、前記容器内へ仕分ける物品の数量が表示される表示手段と、この表示手段にて表示された数量に応じて前記容器内へ物品を仕分ける際に操作する完了操作手段を設け、前記仕分け先毎に前記区画収納空間を割り当て、前記仕分け先の物品の集品要求に応じて、仕分ける物品毎に、割り当てた各区画収納空間の容器へ仕分ける物品の数量を求め、この数量を前記表示手段へ表示し、前記完了操作手段の操作により前記区画収納空間の容器への物品の仕分けが終了したと判断し、次に仕分ける物品の数量を求め、この物品の数量を表示手段へ表示する管理手段を備えた仕分け設備であって、
前記容器へ添える、仕分け先の情報または仕分け先および容器内の物品を特定する情報を表示する容器表示手段を発行する発行手段を備え、前記容器が仕分けられた物品で満了であって、前記表示手段に表示された数量に応じた物品を仕分けることができないときに操作する前記完了操作手段とは別の満了操作手段を設け、前記管理手段は、物品の数量が前記表示手段に表示されている状態で、前記完了操作手段が操作される前に、前記満了操作手段が操作されると、前記表示手段への物品の数量の表示を維持したままこの物品を仕分ける区画収納空間の容器の仕分け先の情報または仕分け先および容器内の物品を特定する情報を求め、前記発行手段を駆動して、求めた仕分け先の情報または仕分け先および容器内の物品を特定する情報を表示する容器表示手段を発行することを特徴とするものである。
【０００９】
上記構成によれば、物品の仕分けを行う作業者により、物品の数量の表示が表示手段に表示されている状態で、完了操作手段が操作される前に、満了操作手段が操作されると、管理手段は、表示手段への物品の数量の表示を維持したまま満了操作手段が設けられた区画収納空間の容器の仕分け先の情報または仕分け先および容器内の物品を特定する情報を求め、発行手段を駆動して、求めた仕分け先の情報または仕分け先および容器内の物品を特定する情報を表示する容器表示手段を発行する。作業者は、この容器表示手段を容器に取り付けて区画収納空間から取り出し、出荷エリアへ送りだし、新たに空の容器を区画収納空間へ収納し、表示手段に表示された物品の数量にしたがってこの新たな容器に物品を仕分ける。
【００１０】
また請求項２に記載の発明は、請求項１に記載の発明であって、前記管理手段は、同一の前記完了操作手段が繰り返し操作されると、この完了操作手段が操作される前に物品が仕分けられた区画収納空間の容器を満了と判断して、この容器の仕分け先の情報または仕分け先および容器内の物品を特定する情報を求め、前記発行手段を駆動して、この求めた仕分け先の情報または仕分け先および容器内の物品を特定する情報を表示する容器表示手段を発行することを特徴とするものである。
【００１１】
上記構成によれば、物品の仕分けを行う作業者により、完了操作手段が繰り返し操作されると、管理手段はこの完了操作手段が設けられた区画収納空間の容器が満了と判断してこの容器の仕分け先の情報または仕分け先および容器内の物品を特定する情報を求め、発行手段を駆動して、求めた仕分け先の情報または仕分け先および容器内の物品を特定する情報を表示する容器表示手段を発行する。作業者は、この容器表示手段を容器に取り付けて区画収納空間から取り出し、出荷エリアへ送りだし、新たに空の収納容器を区画収納空間へ収納する。
【００１２】
また請求項３に記載の発明は、上記請求項２に記載の発明であって、前記管理手段は、前記容器表示手段を、前記完了操作手段が繰り返し操作された数に応じて発行することを特徴とするものである。
【００１３】
仕分ける物品が１つの新たな空の容器に仕分けることが不可能な場合には、さらに空の容器を用意して物品を仕分ける。上記構成によれば、完了操作手段が繰り返し操作され、その操作された数に応じて容器表示手段が発行され、この容器表示手段が物品を仕分けた容器に添えられて出荷エリアへ送り出される。
【００１４】
また請求項４に記載の発明は、上記請求項１〜請求項３のいずれかに記載の発明であって、前記載置部は、複数の仕分けエリアに区分けされ、各仕分けエリア毎に、一つの物品の仕分け作業終了時に操作する仕分け終了操作手段を設け、前記管理手段は、前記完了操作手段が操作されると、仕分け作業が実行された区画収納空間の表示手段に仕分け終了を表示させ、前記仕分け終了操作手段が操作されると、この仕分け終了操作手段が設けられた仕分けエリアの仕分け作業が終了しているか確認してこの仕分けエリアの表示手段に表示されている前記仕分け終了の表示を消去することを特徴とするものである。
【００１５】
上記構成によれば、物品の仕分けを行う作業者により完了操作手段が操作されると、仕分け作業が実行された区画収納空間の表示手段に仕分け終了が表示され、また仕分け終了操作手段が操作されると、この仕分け終了操作手段が設けられた仕分けエリアの仕分け作業が終了していると、この仕分けエリアの表示手段に表示されている仕分け終了の表示が消去され、作業者に仕分けエリアの仕分け作業が間違いなく終了したことが報知される。
【００１６】
また請求項５に記載の発明は、上記請求項１〜請求項４のいずれかに記載の発明であって、前記載置部は、複数の仕分けエリアに区分けされ、各仕分けエリア毎に、仕分けする物品を特定する情報を入力する入力手段を設け、前記管理手段は、各仕分けエリアの入力手段により入力される仕分ける物品を特定する情報に基づいて、前記表示手段へ表示する物品の数量を求めることを特徴とするものである。
【００１７】
上記構成によれば、管理手段は仕分けエリアの入力手段により入力される仕分ける物品を特定する情報に基づいて、各区画収納空間の容器へ仕分ける物品の数量を求め、各表示手段へこの数量からなる物品の仕分け情報を表示する。この表示により仕分け作業が開始される。
【００１８】
また請求項６に記載の発明は、上記請求項１〜請求項５のいずれかに記載の発明であって、前記発行手段は、各仕分けエリアの中央部付近に配置されていることを特徴とするものである。
【００１９】
上記構成によれば、発行手段が各仕分けエリアの中央部付近に配置されていることにより、各区画収納空間から取り出される容器に添えられる容器表示手段を発行手段まで作業者が取りに行く距離が平均化され、作業効率が改善される。
【００２０】
【発明の実施の形態】
以下、本発明の実施の形態を図面に基づいて説明する。
図１は本発明の実施の形態における仕分け設備の概略配置図であり、図示するように、検品区域Ａとアソート（仕分け）区域Ｂから構成されている。
［アソート（仕分け）区域Ｂ］
アソート区域Ｂは、複数（図１では５つ）の仕分けエリア１からなり、各仕分けエリア１は、対向した一対の棚（載置部の一例）２から構成されている。各棚２は、図２に示すように、コンテナ（容器の一例）３を載置（収納）する複数の区画収納空間４を有しており、各仕分け先がそれぞれ区画収納空間４に割り当てられる。
【００２１】
また各区画収納空間４にはそれぞれ、アソート表示器５が設けられている。各アソート表示器５には、仕分ける物品Ｒの数量が表示されるディジタル数量表示器（表示手段の一例）６付きの完了押釦スイッチ７（完了操作手段の一例）と、満了押釦スイッチ（満了操作手段の一例）８が設けられている。満了押釦スイッチ８は完了押釦スイッチ７とは別に設けられ、また完了押釦スイッチ７は、このスイッチ７を設けた区画収納空間４のコンテナ３へ数量表示器６の表示された数量に応じて物品Ｒを仕分ける際に、あるいは投入し終わると（仕分けが終わると）操作される。
【００２２】
また各仕分けエリア１の入口にはそれぞれ、物品Ｒのバーコードを読み取るバーコードリーダ（入力手段の一例）９が設けられ、また各仕分けエリア１の出口にはそれぞれ、仕分け終了押釦スイッチ（仕分け終了操作手段の一例）１０が設けられ、さらに各仕分けエリア１には棚２の中央部付近にそれぞれ、コンテナ３に添える（取り付ける、あるいは投入する）ラベル（容器表示手段の一例）１４（図１０参照）を発行するラベルプリンタ（発行手段の一例）１１が設けられている。ラベル１４には、届け先データ（仕分け先の情報）、または届け先および明細データ（仕分け先および容器内の物品を特定する情報）が印字されて表示される。また各棚２の天井板の上には、複数のコンテナ３が折畳まれた状態で予め用意されている。
【００２３】
また各仕分けエリア１毎に、図３に示すように、仕分け用コンピュータ（管理手段の一例）１２が設けられ、この仕分け用コンピュータ１２に、区画収納空間４毎のアソート表示器５とバーコードリーダ９と仕分け終了押釦スイッチ１０とラベルプリンタ１１が接続されている。また各仕分け用コンピュータ１２は設備の通信ラインＣに接続されている。
［検品区域Ａ］
上記検品区域Ａは、図１に示すように、複数（図１では１０）の検品エリア２０からなり、各検品エリア２０は、図２に示すように、各カゴ車２１により入荷エリアから入荷してきた物品Ｒを検品し、端末装置２２に表示される各仕分けエリア１毎に仕分ける物品Ｒの数量に応じて分けて（一次仕分けして）手押し台車２３に搭載する区域であり、仕分け作業を行う作業者は、仕分けエリア１が指定された手押し台車２３をこの検品区域Ａにおいて受け取る。前記各端末装置２２は、図３に示すように、モニター装置２４とキーボード２５を備えた検品用コンピュータ２６から構成され、また物品Ｒに付けられているバーコードを読み取るバーコードリーダ２７が設けられ、検品用コンピュータ２６にこのバーコードリーダ２７が接続されている。また各検品エリア２０の検品用コンピュータ２６はそれぞれ前記通信ラインＣに接続されている。図２において、２８はフリーローラコンベヤであり、カゴ車２１から降ろされた物品Ｒはこのフリーローラコンベヤ２８を移動されて検品および一次仕分けが行われる。また図１に示すように、２つの検品エリア２０が対称に背中合わせで配置されている。
［出荷用コンピュータ］
また図３に示すように、出荷用コンピュータ３０が設けられ、この出荷用コンピュータ３０に、通信ラインＣを介して、各仕分けエリア１の仕分け用コンピュータ１２と、各検品エリア２０の検品用コンピュータ２６が接続されている。
【００２４】
この出荷用コンピュータ３０にバッチ毎に各仕分け先、たとえば各店舗の注文データ（情報）が入力される。この注文データは、図４（ａ）に示すように、仕分け先である店舗の名称（店舗名）とこの店舗のコードと、この仕分け設備で取り扱われる物品Ｒ別の注文された数量（注文された物品の個数）と、注文された物品Ｒの総数量から構成されている。
【００２５】
この注文データを入力したときの出荷用コンピュータ３０の動作を図５（ａ）のフローチャートにしたがって説明する。
出荷用コンピュータ３０は、まず上記バッチの注文データの各店舗毎の総数量から、５つの仕分けエリア１毎の仕分け数量が略同一となるように、各店舗の注文データを各仕分けエリア１に振り分け、この仕分けデータ｛以下、二次仕分けデータと称す；図４（ｂ）参照｝を各仕分けエリア１の仕分け用コンピュータ１２へ出力する（ステップ−１）。
【００２６】
次に図４（ｂ）に示すように、各二次仕分けデータより各仕分けエリア１で仕分ける物品Ｒ毎の数量（仕分け個数）を求める（ステップ−２）。図４（ｂ）は仕分けエリア（１）に振り分けられた二次仕分けデータ（各店舗の注文データ）を示す。
【００２７】
次に図４（ｂ）に示すような各仕分けエリア１の仕分け個数のデータから図６（ａ）に示すように、各物品Ｒ毎に各仕分けエリア１で仕分ける物品Ｒの数量からなるデータを形成し、物品Ｒ毎の総仕分け数量を求めて検品・一次仕分けデータを形成し、各検品エリア２０の検品用コンピュータ２６を出力する（ステップ−３）。
【００２８】
次に仕分け用コンピュータ１２より、後述する全仕分け終了信号を入力したときの出荷用コンピュータ３０の動作を図５（ｂ）のフローチャートにしたがって説明する。
【００２９】
出荷用コンピュータ３０は、仕分け用コンピュータ１２より全仕分け終了信号を入力すると（ステップ−１）、仕分けが全て終了した仕分けエリア１を認識し（ステップ−２）、続いて仕分け終了を認識していない仕分けエリア１の仕分け用コンピュータ１２へ仕分け状況（０〜１００％）の問い合わせを行い（ステップ−３）、この問い合わせに応答してきた仕分け状況により、仕分け状況が所定の仕分け状況、たとえば８０％以下の仕分け状況が悪い仕分けエリア１があるかどうかを確認し（ステップ−４）、仕分け状況が悪い仕分けエリア１を見出すと（複数の仕分け状況が悪い仕分けエリア１が見出されると最も仕分け状況が悪い仕分けエリア１が選択される）、後述する検品用コンピュータ２６に共有されている、検品・一次仕分けデータのうち検品が実行されていない物品Ｒで、かつこの見出された仕分けエリア１に仕分けられる物品Ｒを求め（ステップ−５）、これらの物品Ｒを仕分け数量が略同一となるように２つのグループに分け（ステップ−６）、一方のグループの物品Ｒの検品・一次仕分けデータを、仕分けが終了した仕分けエリア１に移動させて新たな検品・一次仕分けデータを形成し（ステップ−７）、続いて、この移した一方のグループの物品Ｒの二次仕分けデータ（見出された仕分けエリア１のデータ）を、仕分けが終了した仕分けエリア１へ移して、新たな第２回二次仕分けデータを形成して出力する（ステップ−８）。この第２回二次仕分けデータに基づき、仕分けが終了した仕分けエリア１において新たに仕分けが実行される。また仕分け状況が悪い仕分けエリア１のエリアデータが確認され同じ仕分け先ロケーションに同じ仕分け先を割り当てられる（詳細は後述する）。
【００３０】
なお、仕分け用コンピュータ１２より一つの物品Ｒの仕分け終了毎（たとえば仕分け終了押釦スイッチ１０の操作毎）に物品仕分け終了信号を出力させ、出荷用コンピュータ３０は、仕分け用コンピュータ１２よりこの物品仕分け終了信号を入力したときに、この物品仕分け終了信号を出力した仕分け用コンピュータ１２に対して仕分け状況（０〜１００％）の問い合わせを行い、この問い合わせに応答してきた仕分け状況により、全仕分け終了（１００％終了）、またはほぼ終了（たとえば９５％終了）と判断すると、すなわち物品Ｒの仕分け作業が終了あるいは物品Ｒの仕分け作業が終了する直前と確認すると、上述したように、仕分け終了を認識していない他の仕分けエリア１の仕分け用コンピュータ１２へ仕分け状況（０〜１００％）の問い合わせを行い、この問い合わせに応答してきた仕分け状況により、仕分け状況が所定の仕分け状況、たとえば８０％以下で仕分け状況が悪い仕分けエリア１を判断するようにすることもできる。
［検品用コンピュータ］
各検品用コンピュータ２６の動作を図７のフローチャートにしたがって説明する。
【００３１】
各検品用コンピュータ２６は、出荷用コンピュータ３０より検品・一次仕分けデータを入力すると（ステップ−１）、この検品・一次仕分けデータをモニター装置２４へ表示させる（ステップ−２）。
【００３２】
そして、カゴ車２１から物品Ｒが取り出され、バーコードリーダ２７より物品Ｒのバーコードデータが入力されると（ステップ−３）、物品Ｒを特定し、この物品Ｒの検品・一次仕分けデータを図６（ｂ）に示すように、モニター装置２４上で太枠で示し、この物品Ｒを各仕分けエリア１で仕分ける数量を表示する（ステップ−４）。図６（ｂ）では物品（３）が示されている。
【００３３】
続いて、このデータに基づいて、その数量の物品Ｒが各仕分けエリア１毎に手押し台車２３に載せられ（一次仕分けが行われ）、キーボード２５により仕分け終了の信号、たとえばＥＮＴＥＲキーの操作信号が入力されると（ステップ−５）、太枠で示した物品Ｒの一次仕分けが終了したものと判断して、他の検品用コンピュータ２６へこの物品Ｒの一次仕分け終了信号を出力し（ステップ−６）、検品・一次仕分けデータを更新し（ステップ−７）、図６（ｃ）に示すように、この物品Ｒのデータをモニター装置２４上で斜線で示し、物品Ｒの一次仕分けが終了していることを表示する（ステップ−８）。
【００３４】
なお、各検品用コンピュータ２６は、他の検品用コンピュータ２６より物品Ｒの一次仕分け終了信号を入力すると自分の検品・一次仕分けデータを更新し、同様に図６（ｃ）に示すように、この物品Ｒのデータをモニター装置２４上で斜線で示し、物品Ｒの一次仕分けが終了していることを表示する。このように、検品・一次仕分けデータは各検品用コンピュータ２６で共有され、一次仕分けが終了した物品Ｒが斜線で示される。
【００３５】
次に検品用コンピュータ２６は、検品・一次仕分けデータが全て終了しているか（モニター装置２４では全て斜線で覆われているか）を確認し（ステップ−９）、確認すると終了する。確認できないとき、ステップ−３へ戻る。
［仕分け用コンピュータ］
各仕分け用コンピュータ１２の動作を図８のフローチャートにしたがって説明する。
【００３６】
各仕分け用コンピュータ１２は、出荷用コンピュータ３０より図４（ｂ）に示すような上記二次仕分けデータまたは第２回二次仕分けデータを入力すると（ステップ−１）、仕分け先である各店舗を区画収納空間４に割り当て、図９（ａ）に示すように、各仕分けエリア１毎のデータ、すなわち各区画収納空間４のロケーションと店舗の注文データからなるエリアデータを形成する（ステップ−２）。なお、上記第２回二次仕分けデータを入力すると、仕分け作業が終了していない仕分けエリア１（上記仕分け状況が悪い仕分けエリア１）の仕分け用コンピュータ１２のエリアデータを確認して同じ店舗を同じ区画収納空間４に割り当てる。
【００３７】
そして、作業者が仕分けエリア１の入口で、図１０に示すように、手押し台車２３上の物品Ｒ（この仕分けエリア１で仕分ける物品Ｒ）のバーコードをバーコードリーダ９により読み取らせ、そのバーコードデータを入力すると（ステップ−３）、この物品Ｒを特定して、図９（ｂ）に太枠で示すように、この物品Ｒを仕分ける区画収納空間４のロケーションを求め（ステップ−４）、求めたロケーションのアソート表示器５のディジタル数量表示器６にそれぞれ特定した物品Ｒを仕分ける数量を表示させる（ステップ−５）。図９（ｂ）では物品（２）を仕分ける区画収納空間６のロケーションを求めており、ロケーション（１）のアソート表示器５のディジタル数量表示器６には、“５”が表示される。
【００３８】
そして、数量を表示させたアソート表示器５の完了押釦スイッチ７が操作されその操作信号を入力すると（ステップ−６）、操作された区画収納空間４のコンテナ３への物品Ｒの仕分けが終了したものと判断して、仕分けが終了した物品Ｒの数量を終了とする｛図９（ｂ）に斜線で示す｝（ステップ−７）。続いてエリアデータのこのロケーションの物品Ｒの数量が全て終了となったか、すなわちこのロケーションの区画収納空間４のコンテナ３への仕分けが全て終了したかを確認し（ステップ−８）、図１０に示すように、このコンテナ３への仕分けが全て終了していないとき、ディジタル数量表示器６に「ＦＵＬＬ」（仕分け終了表示の一例）を表示させる（ステップ−９）。またこのコンテナ３への仕分けが全て終了しているとき、ディジタル数量表示器６に「Ｅｎｄ」（仕分け終了表示の一例）を表示させ（ステップ−１０）、続いてエリアデータよりこのロケーションの店舗名とコードと現在の日付からなる届け先データを形成し（ステップ−１１）、ラベルプリンタ１１を駆動させて前記届け先データを表示したラベル１４を発行する（ステップ−１２）。なお、届け先データに、エリアデータより仕分けが終了した物品の名称と数量からなるデータを追加して、仕分けした物品Ｒの明細が判るラベル１４を発行するようにしてもよい。また発行したラベル１４の枚数は出荷するコンテナ３の台数となり、出荷するときにコンテナ３の台数を確認するデータとされる。
【００３９】
そして、エリアデータにおいてこの物品Ｒ｛図９では物品（２）｝の仕分けが終了しているか（全て斜線が付けられているか）を確認し（ステップ−１３）、物品Ｒの仕分けが終了していないとステップ−６へ戻り、次の完了押釦スイッチ７の操作信号の入力を待つ。物品Ｒの仕分けが終了し、仕分けエリア１の出口の仕分け終了押釦スイッチ１０が操作されその操作信号を入力すると（ステップ−１４）、図１０に示すように、上記ディジタル数量表示器６の「ＦＵＬＬ」または「Ｅｎｄ」の表示を消去させる（ステップ−１５）。続いてこの仕分けエリア１の全ての区画収納空間４（全ての店舗）における仕分けが終了したかを、図９に示すエリアデータが消されたことにより確認し（ステップ−１６）、確認すると、出荷用コンピュータ３０に全仕分け終了信号を出力し（ステップ−１７）、終了する。全ての区画収納空間４（全ての店舗）における仕分けが終了していないとき、ステップ−３へ戻り、次の物品Ｒのバーコードデータの入力を待つ。
［途中でコンテナが物品で満了となったときの仕分け用コンピュータ１２によるラベルの発行］
｛コンテナ３に物品Ｒを仕分けた後、または仕分けている途中｝
作業者はコンテナ３に物品Ｒを仕分けた後または仕分けている途中でコンテナ３が満了となると、アソート表示器５の完了押釦スイッチ７を操作し、「ＦＵＬＬ」がディジタル数量表示器６に表示されている状態（図８においてステップ−９が終了した状態）となると、「ＦＵＬＬ」がディジタル数量表示器６に表示されている状態のアソート表示器５の完了押釦スイッチ７を再度操作する。よって、コンテナ３に物品Ｒを仕分けた後または仕分けている途中で次の物品Ｒを仕分けることが不可能と判断すると、完了押釦スイッチ７が２回操作されることになる。
【００４０】
図１１に示すように、仕分け用コンピュータ１２は、このような完了押釦スイッチ７の操作信号を入力すると（ステップ−ａ１）、図１３に示すように、ディジタル数量表示器６に「−−−−」（仕分け終了表示の一例）を表示させ（ステップ−ａ２）、続いてこのロケーションの店舗名とコードと現在の日付からなる届け先データを形成し（ステップ−ａ３）、ラベルプリンタ１１を駆動させて前記届け先データを表示したラベル１４を発行し（ステップ−ａ４）、届け先（店舗）のコンテナ３の数量に“１”を加算する（ステップ−ａ５）。
【００４１】
作業者は、図１３に示すように、コンテナ３に発行されたラベル１４を添付して、出荷エリアへ搬送し、続いて予め用意の折畳まれているコンテナ３を組みたてて、同じ区画収納空間４へ格納する。なお、届け先データに、これまで仕分けした物品の名称と数量からなるデータを追加して、仕分けした物品Ｒの明細が判るラベル１４を発行するようにしてもよい。
【００４２】
また仕分けが途中な場合、残りの物品Ｒを新しく用意したこのコンテナ３へ仕分ける。そして、図１３に示すように、残りの物品Ｒを新たに用意したコンテナ３に収納することができずに、満了となったコンテナ３が複数となると、「−−−−」が表示されている状態のアソート表示器５の完了押釦スイッチ７を、この満了となったコンテナ３の数量の回数操作する。
【００４３】
仕分け用コンピュータ１２は、「−−−−」が表示されている状態のアソート表示器５の完了押釦スイッチ７の操作信号を入力すると（ステップ−ａ６）、ステップ−ａ３へ戻り、この回数と同じだけの枚数、ラベルプリンタ１１を駆動させて前記届け先データを表示したラベル１４を発行する。上述したように、発行したラベル１４の枚数は出荷するコンテナ３の台数となり、出荷するときにコンテナ３の台数を確認するデータとされる。
｛コンテナ３に物品Ｒを仕分ける前｝
コンテナ３に物品Ｒを仕分けようとするとき（このとき、仕分ける物品Ｒの数量がディジタル数量表示器６に表示されている）（図８においてステップ−５が終了した状態）、物品Ｒを仕分けることが不可能と判断すると、すなわち仕分け前にコンテナ３が満了となっていると、アソート表示器５の満了押釦スイッチ８が操作される。
【００４４】
図１２に示すように、仕分け用コンピュータ１２は、このような満了押釦スイッチ７の操作信号を入力すると（ステップ−ｂ１）、このロケーションの店舗名とコードと現在の日付からなる届け先データを形成し（ステップ−ｂ２）、図１４に示すように、ラベルプリンタ１１を駆動させて前記届け先データを表示したラベル１４を発行し（ステップ−ｂ３）、届け先（店舗）のコンテナ３の数量に“１”を加算する（ステップ−ｂ４）。
【００４５】
作業者は、図１４に示すように、コンテナ３に発行されたラベル１４を添付して、出荷エリアへ搬送し、続いて予め用意の折畳まれているコンテナ３を組みたてて、同じ区画収納空間４へ格納する。そして、ディジタル数量表示器６に表示されている数量の物品Ｒを新しく用意したコンテナ３へ仕分け、アソート表示器５の完了押釦スイッチ７を操作する。
【００４６】
仕分け用コンピュータ１２は、上述したようにこのような完了押釦スイッチ７の操作信号を入力すると、上述したように、エリアデータのこのロケーションの物品Ｒの数量が全て終了となったか、すなわちこのロケーションにおける仕分けが全て終了したかを確認し、仕分けが全て終了していないとき、ディジタル数量表示器６に「ＦＵＬＬ」を表示させ、仕分けが全て終了しているとき、ディジタル数量表示器６に「Ｅｎｄ」を表示させる。
［作用］
上記構成による作用を説明する。なお、出荷用コンピュータ３０により、上記検品・一次仕分けデータが形成されて各検品エリア２０の検品用コンピュータ２６へ入力され、この検品・一次仕分けデータがモニター装置２４に表示されているものとする。また出荷用コンピュータ３０により、二次仕分けデータまたは第２回二次仕分けデータが形成されて各仕分けエリア１の仕分け用コンピュータ１２へ入力され、この二次仕分けデータまたは第２回二次仕分けデータに基づいてエリアデータが形成されているものとする。
「検品エリア２０」
各検品エリア２０の作業者は、入荷エリアからカゴ車２１により物品Ｒが搬送されてくると、この物品Ｒに付けられているバーコードをバーコードリーダ２７により読み取らせる。このバーコードデータにより、検品用コンピュータ２６において検品・一次仕分けする物品Ｒが特定され、モニター装置２４に太枠でこの物品Ｒの仕分け数量が仕分けエリア１毎｛図６（ｂ）｝に表示される。
【００４７】
検品エリア２０の作業者はこの表示の数量に従って、各仕分けエリア１毎に手押し台車２３に物品Ｒを載せ、全ての仕分けエリア１への仕分けが終了すると、キーボード２５のＥＮＴＥＲキーを操作してこの物品Ｒの仕分け終了を検品用コンピュータ２６へ入力する。
【００４８】
上記動作を繰り返し、モニター装置２４において全ての物品Ｒの一次仕分けが終了したことを確認すると、終了する。
「仕分けエリア１」
各仕分けエリア１の作業者は、検品エリア２０において仕分けエリア１が指定された、物品Ｒが搭載された手押し台車２３を受け取り、続いて手押し台車２３に指定された仕分けエリア１へ移動し、この仕分けエリア１の入口で物品Ｒのバーコードをバーコードリーダ９により読み取らせる。すると、この物品Ｒを仕分ける区画収納空間４のアソート表示器５のディジタル数量表示器６に仕分ける数量が表示される。
【００４９】
続いて仕分けエリア１の対向した棚２間の作業通路を手押し台車２３を押しながら移動し、ディジタル数量表示器６に数量が表示されている区画収納空間４のコンテナ３を確認すると、物品Ｒを仕分けることができるか、すなわち満了かどうかを確認する。
【００５０】
１．物品Ｒを仕分けることが可能と判断すると、ディジタル数量表示器６に表示されている数量の物品Ｒをコンテナ３へ仕分け、アソート表示器５の完了押釦スイッチ７を操作する。すると、このロケーションにおけるコンテナ３への物品Ｒの仕分けが終了しているかが確認され、終了していないとき、ディジタル数量表示器６に「ＦＵＬＬ」が表示され、またこのコンテナ３への仕分けが全て終了しているとき、ディジタル数量表示器６に「Ｅｎｄ」を表示され、区画収納空間４のコンテナ３用の届け先データを表示したラベル１４がラベルプリンタ１１により発行される。
【００５１】
作業者は、ディジタル数量表示器６に「Ｅｎｄ」を表示されラベル１４が発行されると、コンテナ３に発行されたラベル１４を添付して、出荷エリアへ搬送し、予め用意の折畳まれているコンテナ３を組みたてて、同じ区画収納空間４へ格納し、次のアソート表示器５による仕分けへ進む。
【００５２】
また作業者は、ディジタル数量表示器６に「ＦＵＬＬ」が表示されと、このコンテナ３へ次の物品Ｒを仕分けることができるかを判断する。仕分けることができると判断すると、次のアソート表示器５による仕分けへ進み、仕分けることができないと判断すると、アソート表示器５の完了押釦スイッチ７を再度操作する。すると、ディジタル数量表示器６に「−−−−」が表示され、区画収納空間４のコンテナ３用の届け先データを表示したラベル１４がラベルプリンタ１１により発行される。
【００５３】
作業者は、ラベル１４が発行されると、コンテナ３に発行されたラベル１４を添付して、出荷エリアへ搬送し、予め用意の折畳まれているコンテナ３を組みたてて、同じ区画収納空間４へ格納し、次のアソート表示器５による仕分けへ進む。
【００５４】
２．物品Ｒを仕分けている途中で物品Ｒを投入する（仕分ける）ことができないと判断すると、予め用意の折畳まれているコンテナ３を組みたてて残りの物品Ｒを仕分け、アソート表示器５の完了押釦スイッチ７を２回操作する。すると、１回目にディジタル数量表示器６に「ＦＵＬＬ」が表示され、２回目に「−−−−」が表示され、区画収納空間４のコンテナ３用の届け先データを表示したラベル１４がラベルプリンタ１１により発行される。
【００５５】
作業者は、ラベル１４が発行されると、コンテナ３に発行されたラベル１４を添付して、出荷エリアへ搬送し、前記残りの物品Ｒを仕分けたコンテナ３を同じ区画収納空間４へ格納し、次のアソート表示器５による仕分けへ進む。
【００５６】
なお、投入する物品Ｒがこのコンテナ３へ仕分ける最後の物品Ｒの場合、アソート表示器５の完了押釦スイッチ７が２回操作されると、１回目にディジタル数量表示器６に「Ｅｎｄ」が表示され、２回目に「−−−−」が表示され、区画収納空間４のコンテナ３用の届け先データを表示したラベル１４がラベルプリンタ１１により２枚、発行される。
【００５７】
３．作業者は物品Ｒをコンテナ３へ投入する前に、仕分けることができないと判断すると、アソート表示器５の満了押釦スイッチ８を操作する。すると、この区画収納空間４のコンテナ３用の届け先データを表示したラベル１４がラベルプリンタ１１により発行される。
【００５８】
作業者は、コンテナ３に、発行されたラベル１４を添付して、出荷エリアへ搬送し、続いて予め用意の折畳まれているコンテナ３を組みたてて、同じ区画収納空間４へ格納し、ディジタル数量表示器６に表示されている数量の物品Ｒを新しく用意したコンテナ３へ仕分け、アソート表示器５の完了押釦スイッチ７を操作する。すると、このロケーションにおける物品Ｒの仕分けが終了していないとき、ディジタル数量表示器６に「ＦＵＬＬ」が表示され、また仕分けが全て終了しているとき、ディジタル数量表示器６に「Ｅｎｄ」を表示され、区画収納空間４のコンテナ３用の届け先データを表示したラベル１４がラベルプリンタ１１により発行される。
【００５９】
作業者は、ディジタル数量表示器６に「ＦＵＬＬ」が表示されていると、前記次のアソート表示器５による仕分けへ進み、「Ｅｎｄ」を表示されラベル１４が発行されると、新しく用意したコンテナ３に発行されたラベル１４を添付して、出荷エリアへ搬送し、予め用意されている折畳まれているコンテナ３を組みたてて、同じ区画収納空間４へ格納し、次のアソート表示器５による仕分けへ進む。
【００６０】
上記のように、アソート表示器５のディジタル数量表示器６に表示されたコンテナ３への仕分けが全て終了すると、作業者は出口の仕分け終了押釦スイッチ１０を操作する。すると、仕分けている物品Ｒの仕分けが終了していると、上記ディジタル数量表示器６に表示されている「ＦＵＬＬ」「Ｅｎｄ」「−−−−」が消灯される。
【００６１】
作業者は、この消灯により仕分けが順調に終了したと判断して、検品エリア２０へ戻って次の手押し台車２３を受け取り、次の仕分けを行う。またディジタル数量表示器６の表示が消えないとき、仕分けが全て終了しているかをアソート表示器５のディジタル数量表示器６の数量表示により確認する。
【００６２】
また作業者が、仕分け終了押釦スイッチ１０を操作するとこの仕分けエリア１の仕分け状況が確認され、この仕分けエリア１の仕分け作業が終了した、あるいは終了直前と確認されると、仕分け作業が遅れている他の仕分けエリア１が在るかどうかが確認され、確認されると、仕分け作業が終了した、あるいは終了直前と確認された仕分けエリア１に、仕分け作業が遅れている仕分けエリア１と同じ配置で仕分け先の店舗毎に区画収納空間４が割り当てられ、仕分けが遅れている仕分けエリア１において未だ仕分けが実行されていない一部の物品Ｒの仕分けが、この仕分けが終了した、あるいは終了直前と確認された仕分けエリア１に移して実行される。
【００６３】
以上のように本実施の形態によれば、物品Ｒの仕分けを行う作業者が、物品Ｒの数量の表示がディジタル数量表示器６に表示されている状態で、完了押釦スイッチ７が操作される前に、満了押釦スイッチ８を操作すると、仕分け用コンピュータ１２により、ディジタル数量表示器６への物品Ｒの数量の表示が維持されたまま満了押釦スイッチ８が設けられた区画収納空間４のコンテナ３の仕分け先の店舗（あるいは仕分け先およびコンテナ３内の物品の明細）が求められ、ラベルプリンタ１１が駆動されて、求めた仕分け先の店舗を表示するラベル１４が発行されることにより、仕分ける物品Ｒの数量のデータを残したまま、作業者の判断で任意にラベル１４を発行でき、満了となったコンテナ３にこの発行されたラベル１４を添えて（あるいは取り付けて）出荷エリアへ出荷し、新たなコンテナ３に物品Ｒを仕分けでき、よって仕分け作業が中断してしまうことを回避することができ、仕分け効率を改善することができる。
【００６４】
また本実施の形態によれば、物品Ｒの仕分けを行う作業者が、完了押釦スイッチ７を繰り返し操作すると、仕分け用コンピュータ１２はこの完了押釦スイッチ７が設けられた区画収納空間４のコンテナ３が満了と判断してこのコンテナ３の仕分け先の店舗（あるいは仕分け先およびコンテナ３内の物品の明細）を求め、ラベルプリンタ１１を駆動して、求めた仕分け先の店舗を表示するラベル１４を発行することにより、作業者は自分の判断で、コンテナ３の満了を判断してラベル１４を発行することができ、よって仕分け作業が中断してしまうことを回避することができ、仕分け効率を改善することができる。
【００６５】
また本実施の形態によれば、物品Ｒの仕分けを行う作業者が、完了押釦スイッチ７を操作すると、仕分け用コンピュータ１２によりこの完了押釦スイッチ７が設けられた区画収納空間４のアソート表示器５に投入終了の表示として「ＦＵＬＬ」または「Ｅｎｄ」が表示されることにより、作業者は、この区画収納空間４のコンテナ３への物品Ｒが終了したことを確認することができる。また物品Ｒの仕分けを行う作業者が、仕分け終了押釦スイッチ１０を操作すると、仕分け用コンピュータ１２によりこの仕分け終了押釦スイッチ１０が設けられた仕分けエリア１の仕分けが終了しているかが確認されてこの仕分けエリア１のアソート表示器５に表示されている投入終了の表示が消去されることにより、作業者はこの仕分けエリア１における物品Ｒの仕分けが正常に終了したことを確認することができる。
【００６６】
また本実施の形態によれば、仕分ける物品Ｒが１つのコンテナ３に仕分けることが不可能な場合には、複数のコンテナ３を用意して物品を仕分けるが、このとき完了押釦スイッチ７が繰り返し操作され、その操作された数に応じてラベル１４が発行されることにより、ラベル１４をそれぞれ物品Ｒを仕分けたコンテナ３に添えて出荷エリアへ送り出すことができ、各コンテナ３の届け先が不明となることを防止することができる。
【００６７】
また本実施の形態によれば、仕分け用コンピュータ１２により仕分けエリア１のバーコードリーダ９により入力される仕分ける物品Ｒを特定する情報に基づいて、各区画収納空間４のコンテナ３へ投入する物品Ｒの数量が求められ、各アソート表示器５へこの数量からなる物品Ｒの仕分け数量が表示されることにより、作業者は迅速に仕分け作業を開始することができる。
【００６８】
また本実施の形態によれば、ラベルプリンタ１１は、各仕分けエリア１の中央部付近に配置されていることにより、各区画収納空間４から取り出されるコンテナ３に添えられるラベル１４をラベルプリンタ１１まで作業者が取りに行く距離を平均化することができ、作業効率を改善することができる。
【００６９】
また本実施の形態によれば、物品Ｒの仕分けを行う作業者が、仕分け終了押釦スイッチ１０を操作するとこの仕分けエリア１の仕分け状況が確認され、この仕分けエリア１の仕分け作業が終了していることが確認されると、あるいは物品の仕分け作業が終了する直前（終了する際）と確認されると、仕分け作業が遅れている他の仕分けエリア１が在るかどうかが確認され、確認されると、仕分け作業が終了した、あるいは終了直前の仕分けエリア１に、仕分け作業が遅れている仕分けエリア１と同じ配置で仕分け先の店舗毎に区画収納空間４が割り当てられ、仕分けが遅れている仕分けエリア１において未だ仕分けが実行されていない一部の物品Ｒの仕分けが、この仕分けが終了した、あるいは終了直前の仕分けエリア１に移して実行されることによって、棚２の仕分けエリア１の配置自体は固定されていても、また棚２のレイアウトが制限されている場合にでも、設備全体の仕分けを効率よく短時間で終了することができる。
【００７０】
また本実施の形態によれば、仕分け作業が遅れている仕分けエリア１において未だ仕分け作業が実行されていない物品Ｒの仕分け作業を、仕分け作業が終了した仕分けエリア１に移して実行するとき、一つのコンテナ３への仕分けが終了すると、移して実行する物品Ｒの仕分け作業の情報、すなわちエリアデータに基づいて、ラベルプリンタ１１が駆動されてコンテナ３に添えられるラベル１４が発行され、届け先が間違えて発行されることを回避することができる。
【００７１】
また本実施の形態によれば、仕分け作業が遅れている仕分けエリア１において未だ仕分け作業が実行されていない物品Ｒの仕分け作業を、仕分け作業が終了した仕分けエリア１に移して実行するとき、移して仕分けを行う物品Ｒは、仕分け作業が遅れている仕分けエリア１において仕分ける物品Ｒとは異なる種類の物品Ｒであり、２つの仕分けエリア１で異なる種類の物品Ｒの仕分けが実行されることにより、短時間で仕分けを終了することができる。
［他の実施の形態］
なお、上記実施の形態では、各区画収納空間４にアソート表示器５を設けているが、これらアソート表示器５に代えて、図１５に示すように、手押し台車２３の把手４１の上面に平板パネル４２を設け、このパネル４２上に、端末機４３を設け、この端末機４３により物品Ｒを仕分ける区画収納空間４のロケーションと仕分け数量を表示するようにしてもよい。端末機４３は、液晶表示器４４と、この液晶表示器４４上に配置されたタッチパネル４５と、無線通信装置４６（図１６）と、これら液晶表示器４４、タッチパネル４５および無線通信装置４６が接続されたコントローラ４７（図１６）から構成される。図１５において、４８は上記実施の形態では棚２に設けられているラベルプリンタ、４９は無線通信装置４６のアンテナであり、このアンテナ４８と電波で送受信するアンテナ（図示せず）が各仕分けエリア１毎に設けられ、このアンテナが無線通信装置５０（図１６）を介して仕分け用コンピュータ１２に接続されている。
【００７２】
このとき、液晶表示器４４には、図１７に示すように、区画収納空間４のロケーション毎に仕分ける物品Ｒの数量が表示され、上記完了押釦スイッチ、満了押釦スイッチ、仕分け終了押釦スイッチの画面が表示され、作業者はこの液晶表示器４４に数量が表示されているロケーションの区画収納空間４へ移動して、この仕分けるロケーションの画面部をタッチパネル４５でタッチしてから、この区画収納空間４に収納されているコンテナ３への仕分けを開始する。以後の操作は上記実施の形態と同様である。完了押釦スイッチの画面部をタッチパネル４５でタッチすることで上記実施の形態の完了押釦スイッチ７を操作したときの入力が行われ、満了押釦スイッチの画面部をタッチパネル４５でタッチすることで上記実施の形態の満了押釦スイッチ８を操作したときの入力が行われ、仕分け終了押釦スイッチの画面部をタッチパネル４５でタッチすることで上記実施の形態の仕分け終了押釦スイッチ１０を操作したときの入力が行われる。
【００７３】
また本実施の形態では、各仕分けエリア１毎に仕分け用コンピュータ１２を設け、また各検品エリア２０毎に検品用コンピュータ２６を設けているが、出荷用コンピュータ３０にこれらコンピュータ１２，２６の機能を持たせることも可能である。
【００７４】
また本実施の形態では、物品Ｒを仕分ける容器をコンテナ３としているが、コンテナ３に限ることはなく、ダンボール箱やバケットやケースやトレー状のものなどを使用するようにしてもよい。また蓋付きのもの（封函可能なもの）であってもよい。
【００７５】
また本実施の形態では、容器表示手段をラベル１４により形成しているが、荷札やタグにより形成することも可能であり、またラベルプリンタ１１を各仕分けエリア１に設けているが、複数の仕分けエリア１毎に１台とすることも可能であり、また固定式のラベルプリンタ１１に代えて携帯型のラベルプリンタとすることも可能である。
【００７６】
また本実施の形態では、ラベル１４には届け先のデータあるいは仕分けた物品Ｒの明細を表示しているが、さらに同時に仕分け先（出荷先）の注文による物品Ｒの金額を表示するようにすることもできる。
【００７７】
また本実施の形態では、棚２としてコンテナ３が移動しない一般棚を使用しているが、棚２として流動棚を使用し、コンテナ３が取り出されると、空のコンテナ３が前にでてくるようにすることもできる。
【００７８】
また本実施の形態では、表示手段および完了操作手段として、ディジタル数量表示器６付きの完了押釦スイッチ７を設けているが、勿論、ディジタル数量表示器６と完了押釦スイッチ７を別々に設けてもよい。また完了操作手段の完了押釦スイッチ７は押釦の方式であるが、スイッチ機能をひもを引っ張ることによりオンするスイッチやフットスイッチに代えることもできる。
【００７９】
また本実施の形態では、仕分けエリア１の対向した棚２間の作業通路を手押し台車２３を押しながら移動して物品Ｒの仕分けを行っているが、図１８に示すように、仕分けエリア１の対向した棚２間に、直線状のフリーローラコンベヤからなるコンベヤ装置５１またはカーブ部を有する折り返し形状（Ｕ字状）のフリーローラコンベヤからなるコンベヤ装置５２を設け、これらコンベヤ装置５１または５２に、検品エリア２０において仕分けエリア１が指定された物品Ｒを移載し、コンベヤ装置５１または５２により物品Ｒを移動させながら仕分けを行うようにしてもよい。
【００８０】
また本実施の形態では、ディジタル数量表示器６に数量が表示されている区画収納空間４のコンテナ３に物品Ｒを仕分けたとき、このロケーションにおける物品Ｒの仕分けが終了していないとき、ディジタル数量表示器６に「ＦＵＬＬ」を表示し、また仕分けが全て終了しているとき、ディジタル数量表示器６に「Ｅｎｄ」を表示しているが、ディジタル数量表示器６の色表示を変更したり、アソート表示器５にブザー等の報知手段を設けて、音を発したりすることにより、物品Ｒを仕分けたとき、このロケーションにおける物品Ｒの仕分けが終了していないか、仕分けが全て終了しているかを報知するようにすることができる。
【００８１】
また本実施の形態では、物品Ｒに付けられているバーコードをバーコードリーダ２７または９により読み取らせることにより、物品Ｒを特定しているが、物品Ｒに、物品Ｒを特定するデータが記憶されているデータキャリアやＩＣチップが取り付けられているときは、バーコードリーダ２７または９に代えて、前記データキャリアやＩＣチップに記憶されているデータを読み取るリーダを設けて物品Ｒを特定する。
【００８２】
また本実施の形態では、１つの区画収納空間４（コンテナ３）に１つの仕分け先を割り当てているが、複数の区画収納空間４（コンテナ３）に１つの仕分け先を割り当てて仕分け作業を実行することも可能である。このとき、複数の区画収納空間４（コンテナ３）をカテゴリー別、たとえば生鮮食品を仕分ける区画収納空間４、お菓子類を仕分ける区画収納空間４などに分けて物品Ｒを仕分けることができる。
【００８３】
また本実施の形態では、仕分け作業が遅れている仕分けエリア１において未だ仕分け作業が実行されていない物品Ｒの仕分け作業を、仕分け作業が終了した１つの仕分けエリア１に振替えて（移して）実行しているが、仕分け作業が終了した「複数」の仕分けエリア１に分散して仕分け作業が遅れている仕分けエリア１において未だ仕分け作業が実行されていない物品Ｒの仕分け作業を、実行するようにすることもできる。
【００８４】
また本実施の形態では、出荷用コンピュータ３０により仕分け状況が悪い仕分けエリア１を判断して、この仕分け状況が悪い仕分けエリア１の二次仕分けデータを、仕分け作業が終了する、あるいは終了した仕分けエリア１に振替えて（移して）実行させているが、作業者が仕分けエリア１の仕分け状況を確認あるいは判断して、仕分け状況が悪いと確認あるいは判断した仕分けエリア１の二次仕分けデータを振替えるように、出荷用コンピュータ３０に指示入力するようにすることもできる。このとき、出荷用コンピュータ３０は、この指示入力に応答して、図５（ｂ）に示すステップ−５以下の動作を実行する。
【００８５】
また本実施の形態では、仕分け用コンピュータ１２は、仕分け状況が悪い仕分けエリア１の二次仕分けデータを振り替えた第２回二次仕分けデータを入力すると、上記仕分け状況が悪い仕分けエリア１の仕分け用コンピュータ１２のエリアデータを確認して同じ店舗を同じ区画収納空間４に割り当てているが、このように限ることはなく、異なる配置の区画収納空間４に割り当てることも可能である。
【００８６】
【発明の効果】
以上説明したように本発明によれば、物品の仕分けを行う作業者により、物品の数量の表示が表示手段に表示されている状態で、完了操作手段が操作される前に、満了操作手段が操作されると、管理手段により、表示手段への物品の数量の表示を維持したまま満了操作手段が設けられた区画収納空間の容器の仕分け先の情報または仕分け先および容器内の物品を特定する情報が求められ、発行手段が駆動されて、求めた仕分け先の情報または仕分け先および容器内の物品を特定する情報を表示する容器表示手段が発行されることにより、仕分ける物品の数量の表示を残したまま、満了となった容器を容器表示手段を付けて出荷エリアへ出荷して新たな容器に物品を仕分けでき、仕分け作業が中断してしまうことを回避することができ、仕分け効率を改善することができる。
【図面の簡単な説明】
【図１】本発明の実施の形態における仕分け設備の概略配置図である。
【図２】同仕分け設備の概略側面図である。
【図３】同仕分け設備の制御構成図である。
【図４】同仕分け設備の１バッチ処理の注文データと二次仕分けデータの構成図である。
【図５】同仕分け設備の出荷用コンピュータの動作を示すフローチャートである。
【図６】同仕分け設備の検品・仕分けデータの構成図である。
【図７】同仕分け設備の検品用コンピュータの動作を示すフローチャートである。
【図８】同仕分け設備の仕分け用コンピュータの動作を示すフローチャートである。
【図９】同仕分け設備のエリアデータの構成図である。
【図１０】同仕分け設備の物品仕分け作業の動作を示す説明図である。
【図１１】同仕分け設備の仕分け用コンピュータの一部動作を示すフローチャートである。
【図１２】同仕分け設備の仕分け用コンピュータの一部動作を示すフローチャートである。
【図１３】同仕分け設備の物品仕分け後に満了と判断したときの物品仕分け作業の動作を示す説明図である。
【図１４】同仕分け設備の物品仕分け前に満了と判断したときの物品仕分け作業の動作を示す説明図である。
【図１５】本発明の他の実施の形態における仕分け設備の手押し台車の正面および側面図である。
【図１６】同仕分け設備の一部制御構成図である。
【図１７】同仕分け設備の手押し台車に取付けられた液晶表示器の画面図である。
【図１８】本発明の他の実施の形態における仕分け設備の一部配置図である。
【符号の説明】
Ａ　　検品区域
Ｂ　　アソート区域
Ｃ　　通信ライン
Ｒ　　物品
１　　仕分けエリア
２　　棚
３　　コンテナ
４　　区画収納空間
５　　アソート表示器
６　　ディジタル数量表示器
７　　完了押釦スイッチ
８　　満了押釦スイッチ
９　　バーコードリーダ
１０　仕分け終了押釦スイッチ
１１，４８　ラベルプリンタ
１４　ラベル
２０　検品エリア
２１　カゴ車
２２　端末装置
２３　手押し台車
２６　検品コンピュータ
３０　出荷用コンピュータ
４３　端末機
【図１】
2004137066.tif 000003
【図２】
2004137066.tif 000004
【図３】
2004137066.tif 000005
【図４】
2004137066.tif 000006
【図５】
2004137066.tif 000007
【図６】
2004137066.tif 000008
【図７】
2004137066.tif 000009
【図８】
2004137066.tif 000010
【図９】
2004137066.tif 000011
【図１０】
2004137066.tif 000012
【図１１】
2004137066.tif 000013
【図１２】
2004137066.tif 000014
【図１３】
2004137066.tif 000015
【図１４】
2004137066.tif 000016
【図１５】
2004137066.tif 000017
【図１６】
2004137066.tif 000018
【図１７】
2004137066.tif 000019
【図１８】
2004137066.tif 000020